(57)【特許請求の範囲】
【請求項１】
撮像素子と、Ａ／Ｄ変換部と、メモリと、信号処理部と、メモリ書込用バッファ部とメモリ読出用バッファ部とＨＤ読出用バッファ部とを有する入出力制御部とを備えた電子スチルカメラであって、
前記撮像素子は、入来する被写体光をアナログ信号の形態の電気信号に変換して前記Ａ／Ｄ変換部へ出力し、
前記Ａ／Ｄ変換部は、前記撮像素子から出力される電気信号をディジタル信号に変換して前記信号処理部へ出力し、
前記メモリは、前記メモリ書込用バッファ部と前記メモリ読出用バッファ部と前記ＨＤ読出用バッファ部とのそれぞれとの間で時分割で並行してデータの受け渡しをする際には、所定の周波数を有する第１のクロックを用いて行い、
前記信号処理部は、前記Ａ／Ｄ変換部から供給されるディジタル信号に所定の信号処理を施して前記メモリ書込用バッファ部へ出力する際、前記メモリ読出用バッファ部から読み出されるディジタル信号に所定の信号処理を施して出力する際にはそれぞれ、前記第１のクロックの周波数より低い周波数を有する第２のクロックを用いて行い、
前記入出力制御部は、前記撮像素子における１水平ライン分のデータのデータ量より小なる容量を有する、前記メモリ書込用バッファ部と、前記メモリ読出用バッファ部と、高精細度映像信号を読み出す前記ＨＤ読出用バッファ部とをそれぞれ有しており、
前記メモリ書込用バッファ部と前記メモリ読出用バッファ部と前記ＨＤ読出用バッファ部とのそれぞれと前記メモリとの間でデータの受け渡しをする際は、前記第１のクロックを用い、
前記メモリ書込用バッファ部と前記メモリ読出用バッファ部とのそれぞれと前記信号処理部との間でデータの受け渡しをする際には、前記第２のクロックを用い、
前記ＨＤ読出用バッファ部からデータを読み出す際には、前記高精細度映像信号のデータレートにあわせて前記第１のクロックの周波数よりは低く前記第２のクロックの周波数よりは高い周波数を有する第３のクロックを用いることを特徴とする電子スチルカメラ。
【発明の詳細な説明】
【０００１】
【発明の属する技術分野】
本発明は、固体撮像素子で撮像した静止画像を半導体メモリー等の記録媒体に記録する電子スチルカメラに関する。
【０００２】
【従来の技術】
パソコンの一般家庭への普及は目覚しく、それに伴い電子スチルカメラも普及しつつある。この電子スチルカメラは、固体撮像素子を用いて撮像した静止画像に情報圧縮符号化処理を施してデータ量を削減し、ＳＳＦＤＣ（Solid State Floppy Disk Card）等の半導体記録媒体に圧縮した静止画像を記録するものであり、撮像した静止画像をパソコンのモニタ上で表示したり、あるいは家庭用プリンタで印刷したりすることができる。そして、この電子スチルカメラで撮像可能な静止画像の画素数は、プリンタによる印刷を想定して、年々増加傾向にある。
【０００３】
【発明が解決しようとする課題】
ところが、このように画素数を増加させることは内部の信号処理回路に大きな負担をかけることになる。つまり、画素数が増加すれば、その分信号処理に長い時間が要するため、静止画像の撮像間隔が長くなったり、静止画像を撮像してから次の動作に移行するまでの間隔が長くなったりするという問題が生じていた。
【０００４】
また、電子スチルカメラでは、信号処理のためのラインバッファを設け、ライン毎にデータを蓄えて処理するのが一般的であるが、画素数を増加させると１ライン毎の画素数も増加する。従って、より大きなラインバッファを搭載する必要があり、回路規模の増大に繋がっていた。
【０００５】
また、最近では、パソコンのモニタのみならず、テレビジョン受像機に対しても静止画像を出力可能なものがあるが、テレビジョン受像機に出力する際には、画素数を大幅に削減して出力していたため、静止画像が本来有する画像品質のまま画像表示をすることができないという問題があった。
【０００６】
本発明に係る電子スチルカメラは、これらの問題点に鑑み、大容量のラインバッファを用いることなく信号処理回路を高速化させることを目的とし、更には、静止画像が本来有する画像品質のまま、この静止画像をテレビジョン受像機に出力できるようにすることを目的とする。
【０００７】
【課題を解決するための手段】
以上の課題を解決するために、本発明は次の構成を有する電子スチルカメラを提供する。
撮像素子と、Ａ／Ｄ変換部と、メモリと、信号処理部と、メモリ書込用バッファ部とメモリ読出用バッファ部とＨＤ読出用バッファ部とを有する入出力制御部とを備えた電子スチルカメラであって、
前記撮像素子は、入来する被写体光をアナログ信号の形態の電気信号に変換して前記Ａ／Ｄ変換部へ出力し、
前記Ａ／Ｄ変換部は、前記撮像素子から出力される電気信号をディジタル信号に変換して前記信号処理部へ出力し、
前記メモリは、前記メモリ書込用バッファ部と前記メモリ読出用バッファ部と前記ＨＤ読出用バッファ部とのそれぞれとの間で時分割で並行してデータの受け渡しをする際には、所定の周波数を有する第１のクロックを用いて行い、
前記信号処理部は、前記Ａ／Ｄ変換部から供給されるディジタル信号に所定の信号処理を施して前記メモリ書込用バッファ部へ出力する際、前記メモリ読出用バッファ部から読み出されるディジタル信号に所定の信号処理を施して出力する際にはそれぞれ、前記第１のクロックの周波数より低い周波数を有する第２のクロックを用いて行い、
前記入出力制御部は、前記撮像素子における１水平ライン分のデータのデータ量より小なる容量を有する、前記メモリ書込用バッファ部と、前記メモリ読出用バッファ部と、高精細度映像信号を読み出す前記ＨＤ読出用バッファ部とをそれぞれ有しており、
前記メモリ書込用バッファ部と前記メモリ読出用バッファ部と前記ＨＤ読出用バッファ部とのそれぞれと前記メモリとの間でデータの受け渡しをする際は、前記第１のクロックを用い、
前記メモリ書込用バッファ部と前記メモリ読出用バッファ部とのそれぞれと前記信号処理部との間でデータの受け渡しをする際には、前記第２のクロックを用い、
前記ＨＤ読出用バッファ部からデータを読み出す際には、前記高精細度映像信号のデータレートにあわせて前記第１のクロックの周波数よりは低く前記第２のクロックの周波数よりは高い周波数を有する第３のクロックを用いることを特徴とする電子スチルカメラ。
【０００９】
【発明の実施の形態】
図１は、本発明の実施例に係る電子スチルカメラを説明するためのブロック図であり、１は入来する被写体光を電気信号に変化して出力する固体撮像素子（ＣＣＤ）、２は固体撮像素子１から出力される信号に相関二重サンプリング、自動利得調整等の処理を施して出力するアナログ信号処理部、３はアナログ信号処理部２から出力されるアナログ信号をディジタル信号に変換して出力するＡ／Ｄ変換部である。
【００１０】
また、４はＡ／Ｄ変換部３から出力されるディジタル信号または映像信号入出力制御部５からのディジタル信号に後述する如く様々な信号処理を施すディジタル信号処理部であり、５は後述する如くディジタル信号を内部メモリ６に書き込む際、あるいは内部メモリ６から読み出す際にディジタル信号データレートを変更すると共に、その入出力制御をする映像信号入出力制御部、６は映像信号入出力制御部５に接続され、映像信号入出力制御部５からのディジタル信号を一時的に蓄える内部メモリ、７は映像信号入出力制御部５に接続され、映像信号入出力制御部５からのディジタル信号にＪＰＥＧ（Joint Photographic Coding Experts Group）方式の圧縮伸長処理を施すＪＰＥＧ処理部である。
【００１１】
また、８は固体撮像素子１を駆動するＣＣＤ駆動制御部、９は映像信号入出力制御部５に接続され、ＣＣＤ駆動制御部８の動作を制御すると共に、映像信号入出力制御部５からのディジタル信号を外部記録媒体１０に入出力する制御部である。なお、外部記録媒体１０としては、前述のＳＳＦＤＣ等、リムーバブルな記録媒体を利用できる。また、１１は映像信号入出力制御部５からのディジタル信号をアナログ信号に変換し、図示しない内部モニタあるいは外部モニタに出力可能なＤ／Ａ変換部である。
【００１２】
なお、ここで、Ａ／Ｄ変換部３、ディジタル信号処理部４、制御部９には、１８ＭＨｚのクロックが供給されており、Ａ／Ｄ変換部３におけるＡ／Ｄ変換処理、ディジタル信号処理部４におけるディジタル信号処理、制御部９における制御は、全て１８ＭＨｚのクロックで動作している。また、ＪＰＥＧ処理部７には、４５ＭＨｚのクロックが供給されており、ＪＰＥＧ処理部７における圧縮伸長処理は、４５ＭＨｚのクロックで動作している。
【００１３】
以下、本発明の実施例に係る電子スチルカメラの動作について説明する。
まず、ＣＣＤ駆動制御部８の発生する駆動信号に基づき固体撮像素子１から出力されたアナログ信号は、アナログ信号処理部２での処理が行われ、Ａ／Ｄ変換部３に供給される。アナログ信号処理部２が出力するアナログ映像信号は、ＲＧＢの信号形態を有するアナログ信号であり、Ａ／Ｄ変換部３は、このアナログ信号をディジタル信号に変換する。そして、ディジタル信号に変換された信号は、映像信号入出力制御部５を介して内部メモリ６に一時的に蓄えられる。
【００１４】
１画面分のディジタル信号を内部メモリ６に蓄えると、このＲＧＢの信号形態よりなるディジタル信号の読み出しが開始される。読み出されたディジタル信号は、映像信号入出力制御部５を介してディジタル信号処理部４に出力され、ディジタル信号処理部４においてＲＧＢの信号形態によりなるディジタル信号が輝度及び色差の信号形態よりなるディジタル信号に変換される。そして、変換されたディジタル信号が映像信号入出力制御部５を介して再び内部メモリ６に書き込まれる。
【００１５】
なお、固体撮像素子１は、水平及び垂直方向に２０４８×１５３６画素の静止画像を出力するが、これより小さい画像に画像サイズを縮小する必要がある場合には、この縮小処理をディジタル信号処理部４にて行う。従って、このような場合には、内部メモリ６から再び静止画像が読み出され、この静止画像が映像信号入出力制御部５を介してディジタル信号処理部４へと出力される。そして、ディジタル信号処理部４での縮小処理を終えた静止画像が映像信号入出力制御部５を介して内部メモリ６に書き込まれる。
【００１６】
また、撮像した静止画像を図示しない内部モニタ上で表示する場合には、この内部モニタでの表示に適したサイズの静止画像がディジタル信号処理部４における縮小処理で生成された後に、この縮小された静止画像が内部メモリ６内に書き込まれ、更に、映像信号入出力制御部５及びＤ／Ａ変換部１１を介して内部モニタで表示される。また、撮像した静止画像をＮＴＳＣあるいはＰＡＬ等の標準精細度テレビジョン信号として外部モニタに出力する場合にも同様に、このテレビジョン信号にあわせたサイズの静止画像が生成され、内部メモリ６に書き込まれる。
【００１７】
そして、内部メモリ６に蓄えられている水平及び垂直方向に２０４８×１５３６画素の静止画像あるいは必要に応じて縮小処理を行った静止画像は、データ量を削減するために、映像信号入出力制御部５を介してＪＰＥＧ処理部７に出力され、ＪＰＥＧ方式の圧縮処理が行われる。そして、この圧縮処理を終えると、静止画像が映像信号入出力制御部５を介して再び内部メモリ６に書き込まれる。そして、その後、ＪＰＥＧ方式の圧縮処理を終えた静止画像が映像信号入出力制御部５に読み出され、ＤＭＡ（Direct Memory Access）転送により制御部９を介して外部記録媒体１０に記録される。
【００１８】
また、外部記録媒体１０に記録されている静止画像を内部モニタあるいは外部モニタに表示する際には、ＪＰＥＧ方式で圧縮された静止画像が外部記録媒体１０から読み出されると制御部９、映像信号入出力制御部５を介して内部メモリ６に書き込まれる。その後、ＪＰＥＧ方式の伸長処理のために、この静止画像が映像信号入出力制御部５を介して出力される。
【００１９】
そして、ＪＰＥＧ処理部７における伸長処理を終えると、映像信号入出力制御部５を介して再び内部メモリ６に書き込まれ、その後、前述の如く、ディジタル信号処理部４による縮小処理で、内部モニタでの表示に適したサイズの静止画像あるいは標準精細度テレビジョン信号にあわせたサイズの静止画像が生成される。そして、このようにして縮小処理された静止画像が映像信号入出力制御部５を介してＤ／Ａ変換部１１から出力される。
【００２０】
なお、以上の如く、図１に示す電子スチルカメラでは、１つの処理を終える毎にそのデータが一旦内部メモリ６に書き込まれるが、その際、データの入出力は、必ず映像信号入出力制御部５を介して行うことになる。また、固体撮像素子１で撮像した静止画像を外部記録媒体１０に記録することなく、内部モニタで表示する際には、固体撮像素子１からライン毎に間引かれて出力された信号がＡ／Ｄ変換部３からディジタル信号処理部４に供給される。そして、ディジタル信号処理部４において水平方向に間引かれて、内部モニタでの表示に適したサイズへと縮小された静止画像が映像信号入出力制御部５、Ｄ／Ａ変換部１１を経て、内部モニタに出力される。
【００２１】
次に、映像信号入出力制御部５の構成について図２及び図３を用いて説明する。図２に示す如く、映像信号入出力制御部５は、内部メモリ書込用バッファ５ａ、内部メモリ読出用バッファ５ｂ及び５ｃ、ＨＤ読出用バッファ５ｄ、制御部用バッファ５ｅ、ＪＰＥＧ処理用バッファ５ｆ及び内部メモリ入出力制御部５ｇにより構成される。
【００２２】
なお、ここで、バッファ５ａ乃至５ｄは、図３に示す如く、バッファ５ｈ及び５ｉと、スイッチＳＷ１及びＳＷ２により構成され、スイッチＳＷ１及びスイッチＳＷ２による切り替えにより、一方のバッファに書き込みが行われている際には、他方のバッファから読み出しが行われるよう動作する。
【００２３】
また、バッファ５ｅ及び５ｆは、図３に示すバッファ５ａ乃至５ｄと同様の構成であるが、データを双方向に受け渡しできるよう追加の切り替えスイッチが設けられている。つまり、図３においては、データがスイッチＳＷ１側からスイッチＳＷ２側に出力される如く示してあるが、図２における制御部用バッファ５ｅ及びＪＰＥＧ処理用バッファ５ｆに限っては、データを双方向に受け渡し可能であり、そのために、図示しない切り替えスイッチが追加で設けられている。また、バッファ５ｈ及び５ｉは、夫々２５６ワード（輝度及び色差の信号形態よりなるディジタル信号における２５６画素）分のデータを保持できるだけの容量を有する。従って、水平方向１ライン分（２０４８画素分）のデータを出力するには、書き込み及び読出し動作を８回行うことになる。
【００２４】
ここで、内部メモリ入出力制御部５ｇは、内部メモリ６に接続され、内部メモリ書込用バッファ５ａ、制御部用バッファ５ｅ又はＪＰＥＧ処理用バッファ５ｆからのデータを内部メモリ６に出力したり、また、内部メモリ６からのデータを内部メモリ読出用バッファ５ｂ、内部メモリ読出用バッファ５ｃ、ＨＤ読出用バッファ５ｄ、制御部用バッファ５ｅ、ＪＰＥＧ処理用バッファ５ｆに出力したりできるよう構成される。
【００２５】
また、内部メモリ書込用バッファ５ａには、Ａ／Ｄ変換部３又はディジタル信号処理部４からのディジタル信号が書き込まれ、内部メモリ読出用バッファ５ｂ及び５ｃから読み出されたデータは、ディジタル信号処理部４又はＤ／Ａ変換部１１に出力され、ＨＤ読出用バッファ５ｄから読み出されたデータは、Ｄ／Ａ変換部１１に出力されるよう構成される。なお、図１においては、Ｄ／Ａ変換部１１を１つのみ示しているが、様々なデータレートのディジタル信号をアナログ信号に変換するために、複数のＤ／Ａ変換部を用いても良いことは言うまでもない。
【００２６】
また、制御部用バッファ５ｅは、制御部９と双方向に接続され、ＪＰＥＧ処理用バッファ５ｆは、ＪＰＥＧ処理部７と双方向に接続されるため、制御部用バッファ５ｅ及びＪＰＥＧ処理用バッファ５ｆは、これらの構成との間でデータの受け渡しが可能である。
【００２７】
なお、映像信号入出力制御部５が、内部メモリ６との間でデータの受け渡しをする際には、９０ＭＨｚのクロックでデータの受け渡しを行う一方、これ以外の構成との間でデータの受け渡しをする際には、１８ＭＨｚ、４５ＭＨｚあるいは７２．２５ＭＨｚのクロックでデータの受け渡しを行う。従って、内部メモリ６は、複数のデータの入出力を時分割で並行して行うことができる。
【００２８】
そのために、図２で示す各バッファ５ａ乃至５ｆにおいて、バッファ内に書き込まれているデータを内部メモリ入出力制御部５ｇ側に読み出す際、あるいは内部メモリ入出力制御部５ｇ側からのデータがバッファに書き込まれる際は、９０ＭＨｚのクロックでデータの読み出し又は書き込みが行われる。
【００２９】
一方、映像信号入出力制御部５の外部から内部メモリ書込用バッファ５ａ、制御部用バッファ５ｅ、ＪＰＥＧ処理用バッファ５ｆへデータを書き込む際、あるいは内部メモリ読出用バッファ５ｂ、内部メモリ読出用バッファ５ｃ、制御部用バッファ５ｅから映像信号入出力制御部５の外部にデータを読み出す際は、１８ＭＨｚのクロックでデータの読み出し又は書きこみが行われる。また、ＪＰＥＧ処理用バッファ５ｆからＪＰＥＧ処理部７にデータを読み出す際は、４５ＭＨｚのクロックでデータの読出しが行われ、ＨＤ読出用バッファ５ｄからＤ／Ａ変換部１１にデータを読み出す際は、７４．２５ＭＨｚのクロックでデータの読み出しが行われる。
【００３０】
図４は、内部メモリ６における複数のデータの並行処理を説明するための図であり、同図において、（ａ）はＮＴＳＣ方式のテレビジョン信号における水平同期信号、（ｂ）は内部メモリ書込用バッファ５ａへのデータの書き込み動作、（ｃ）は内部メモリ書込用バッファ５ａからのデータの読み出し動作、（ｄ）は内部メモリ読出用バッファ５ｂへのデータの書き込み動作、（ｅ）は内部メモリ読出用バッファ５ｂからのデータ読み出し動作、（ｆ）はＪＰＥＧ処理用バッファ５ｆへのデータの書き込み動作、（ｇ）はＪＰＥＧ処理用バッファ５ｆからのデータ読み出し動作、（ｈ）は内部メモリ６における動作を説明するための図である。
【００３１】
ここで、内部メモリ６に蓄積されている輝度及び色差の信号形態よりなるディジタル信号をディジタル信号処理部４で縮小処理すると同時に輝度及び色差の信号形態よりなるディジタル信号をＪＰＥＧ方式で圧縮処理する場合、映像信号入出力制御部５では、内部メモリ６から静止画像を読み出してディジタル信号処理部４及びＪＰＥＧ処理部７に出力する動作と、ディジタル信号処理部４での処理を終えた静止画像を内部メモリ６に出力する動作とを同時に行う必要がある。
【００３２】
その際の動作を以下に説明すると、まず、図４（ｄ）に示す如く、内部メモリ６からの静止画像が２５６ワードずつ９０ＭＨｚのクロックで内部メモリ読出用バッファ５ｂに書き込まれ、内部メモリ読出用バッファ５ｂに書き込まれた２５６ワードのデータは、図４（ｅ）に示す如く、１８ＭＨｚのクロックでディジタル信号処理部４に出力される。
【００３３】
また、内部メモリ６からの静止画像は２５６ワードずつ９０ＭＨｚのクロックでＪＰＥＧ処理用バッファ５ｆに書き込まれ、ＪＰＥＧ処理用バッファ５ｆに書き込まれた２５６ワードのデータは、図４（ｇ）に示す如く、４５ＭＨｚのクロックでＪＰＥＧ処理部７に出力される。
【００３４】
以上のように、ディジタル信号処理部４とＪＰＥＧ処理部７とに２５６ワードずつ静止画像が出力されるが、１画面分の静止画像を全て出力し終える前にディジタル信号処理部４における処理が順次完了するため、処理を終えたデータを並行して内部メモリ６に書き込むことになる。つまり、図４（ｂ）に示す如く、処理を終えたデータが１８ＭＨｚのクロックで内部メモリ書込用バッファ５ａに書き込まれ、内部メモリ書込用バッファ５ａに書き込まれたデータは、図４（ｃ）に示す如く、９０ＭＨｚのクロックで内部メモリ６に書き込まれる。
【００３５】
そして、内部メモリ６においては、図４（ｈ）に示す如く、内部メモリ書込用バッファ５ａに対する処理と、内部メモリ読出用バッファ５ｂに対する処理と、ＪＰＥＧ処理用バッファ５ｆに対するよりとが、時分割で行われるため、これら全ての処理を並行して行うことが可能となる。
【００３６】
なお、図４（ｂ）、（ｅ）及び（ｇ）に示す如く、内部メモリ書込用バッファ５ａに対するデータの書込みと、内部メモリ読出用バッファ５ｂからのデータの読出しと、ＪＰＥＧ処理用バッファ５ｆからのデータ読出しは、夫々１８ＭＨｚまたは４５ＭＨｚのクロックで行われるのに対して、図４（ｃ）、（ｄ）及び（ｆ）に示す如く、内部メモリ書込用バッファ５ａからのデータの読出しと、内部メモリ読出用バッファ５ｂに対するデータの書込みと、ＪＰＥＧ処理用バッファ５ｆに対するデータの書込みは、夫々９０ＭＨｚのクロックで行われる。
【００３７】
従って、計算上では、９０ＭＨｚ／１８ＭＨｚ＝５となり、５つの処理を並行して行えることになるが、内部メモリ６にＳＤＲＡＭ（Synchronous Dynamic Random Access Memory）を使用した場合には、そのリフレッシュ動作等が必要となるため、実際には、４つの処理まで並行して行える。なお、ここで示す例では、内部メモリ６の動作周波数を９０ＭＨｚとしているが、１８ＭＨｚの２倍である３６ＭＨｚ以上とすれば複数の処理を並行して行えることは言うまでもない。
【００３８】
また、図１で示す電子スチルカメラにおいて、内部メモリ６に複数の静止画像を蓄積させ、これらの静止画像を合成できるよう構成しても良い。このように複数の静止画像を１枚の静止画像に合成するには、例えば、映像信号入出力制御部５が出力する複数の静止画像を同時に入力でき、合成を終えた静止画像を映像信号入出力制御部５に戻すことのできる映像合成部を設ければ良い。
【００３９】
そして、このように複数の静止画像を１枚の静止画像に合成するには、図２に示す内部メモリ読出用バッファ５ｂと内部メモリ読出用バッファ５ｃとを使用して内部メモリ６から２枚の静止画像を読出し、内部メモリ書込用バッファ５ａを使用して内部メモリ６に合成を終えた静止画像を書込むようにすれば良い。そして、この機能を利用することにより、例えば、静止画像に額縁の絵柄を合成した静止画像を生成したり、また、背景画像に人物を合成した静止画像を生成したり、また、コラージュ、クロマキー、ルミナンスキー等の処理が可能となる。
【００４０】
次に、内部メモリ６に蓄積される静止画像を図示しない外部モニタに出力する際の動作を図５を用いて説明する。同図において、（ａ）はＮＴＳＣ方式のテレビジョン信号における水平同期信号、（ｂ）は内部メモリ読出用バッファ５ｂへのデータの書き込み動作、（ｃ）内部メモリ読出用バッファ５ｂからのデータ読出し動作、（ｄ）はハイビジョン信号における水平同期信号、（ｅ）はＨＤ読出用バッファ５ｄへのデータの書き込み動作、（ｆ）はＨＤ読出用バッファ５ｄからのデータの読み出し動作を説明するための図である。
【００４１】
まず、ＮＴＳＣ方式のテレビジョン信号を外部モニタに出力する際の動作を説明すると、内部メモリ６に蓄積されているＮＴＳＣ方式のテレビジョン信号にあわせたサイズの静止画像が、図５（ｂ）に示す如く、２５６ワードずつ９０ＭＨｚのクロックで内部メモリ読出用バッファ５ｂに書き込まれ、内部メモリ読出用バッファ５ｂに書き込まれた２５６ワードのデータは、図５（ｃ）に示す如く、１８ＭＨｚのクロックでＤ／Ａ変換部１１に出力される。
【００４２】
なお、ここで、ＮＴＳＣ方式のテレビジョン信号にあわせたサイズの静止画像は、水平方向に６４０画素、垂直方向に４８０画素を有する静止画像であるため、１ライン分のデータを得るには、内部メモリ読出用バッファ５ｂに３回データを書き込む必要がある。そして、これを４８０ライン分繰り返すことにより、１画面分の静止画像を得ることができる。
【００４３】
一方、ハイビジョン方式のテレビジョン信号を外部モニタに出力する際は、内部メモリ６に蓄積されている縮小処理を行う前の静止画像が、図５（ｅ）に示す如く、２５６ワードずつ９０ＭＨｚのクロックでＨＤ読出用バッファ５ｄに書き込まれ、ＨＤ読出用バッファ５ｄに書き込まれた２５６ワードのデータは、図５（ｆ）に示す如く、７２．４５ＭＨｚのクロックで読み出される。
【００４４】
なお、ここで、内部メモリ６に蓄積されている縮小処理を行っていない静止画像は、水平方向に２０４８画素、垂直方向に１５３６画素を有する静止画像であるため、１ライン分のデータを得るには、内部メモリ読出用バッファ５ｂに８回データを書き込む必要がある。そして、１５３６ラインのうちの画面中央付近の１０８２ライン分を選択して出力することで、ハイビジョン信号を出力することが可能となる。
【００４５】
【発明の効果】
請求項１に係る発明によれば、入出力制御部がメモリとの間でデータの受け渡しをする際には、第１のクロックで各バッファ部を動作させ、信号処理部との間でデータの受け渡しをする際には、第１のクロックの周波数より低い周波数を有する第２のクロックで各バッファ部を動作させるため、複数のバッファ部を並行使用したデータの高速処理を実行することが可能となる。また、各バッファ部の容量は、撮像素子における１水平ライン分のデータのデータ量より小なる容量とされるため、回路規模を抑えることが可能となる。
【００４６】
更に、本発明によれば、入出力制御部がＨＤ出力バッファを備え、高精細度映像信号を出力可能であるため、テレビジョン受像機においても静止画像が本来有する画像品質のまま画像表示を行うことができるという効果を奏する。
【図面の簡単な説明】
【図１】本発明に係る電子スチルカメラの構成を説明するための図である。
【図２】映像信号入出力制御部５の構成を示す図である。
【図３】各バッファの内部構成を示す図である。
【図４】複数のデータの並行処理を説明するための図である。
【図５】静止画像の外部モニタへの出力を説明するための図である。
【符号の説明】
１…固体撮像素子（ＣＣＤ）
２…アナログ信号処理部
３…Ａ／Ｄ変換部
４…ディジタル信号処理部
５…映像信号入出力制御部
５ａ乃至５ｆ…バッファ
５ｇ…内部メモリ入出力制御部
６…内部メモリ
７…ＪＰＥＧ処理部
８…ＣＣＤ駆動制御部
９…制御部
１０…外部記録媒体
１１…Ｄ／Ａ変換部
【図１】
0003745605.tif 000002
【図２】
0003745605.tif 000003
【図３】
0003745605.tif 000004
【図４】
0003745605.tif 000005
【図５】
0003745605.tif 000006